【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
複数の画素部を備え、撮影光学系を通過した光を受ける撮像素子を有し、
前記複数の画素部は、少なくとも第１及び第２の画素部を含み、
前記第１及び第２の画素部は、前記撮影光学系の射出瞳の状態を第１の開口状態としている場合には、いずれも前記射出瞳を通過する全光束を受光し、前記撮影光学系の射出瞳の状態を、少なくとも任意の１方向における径が前記第１の開口状態よりも大きい第２の開口状態としている場合には、互いに前記射出瞳の重心が相違する一部の領域を通過した光束をそれぞれ受光し、
前記撮影光学系の射出瞳の状態を前記第１の開口状態としている場合には、前記第１及び第２の画素部の画像信号を用いて撮影画像を形成し、
前記撮影光学系の射出瞳の状態を前記第２の開口状態としている場合には、前記第１及び第２の画素部の画像信号を用いて前記撮影光学系の焦点検出を行うことを特徴とする撮像装置。
【請求項２】
前記複数の画素部は、前記第１及び第２の画素部の周囲に設けられ、前記撮影光学系の光軸を実質的に重心とする射出瞳を通過する光束を受光する撮像用画素部を更に含むことを特徴とする請求項１に記載の撮像装置。
【請求項３】
前記第１及び第２の画素部は、前記撮影光学系の光軸から互いに反対方向にずれた位置を重心とする射出瞳を通過する光束を受光することを特徴とする請求項１又は２に記載の撮像装置。
【請求項４】
前記第１及び第２の画素部は、前記撮影光学系の光軸から互いに反対方向にずれた位置を重心とする射出瞳を通過する光束を受光し、
前記撮像用画素部の一部において、前記第１及び第２の画素部に近づくものほど、前記射出瞳上の重心が前記撮影光学系の光軸からずれていることを特徴とする請求項２に記載の撮像装置。
【請求項５】
前記第１及び第２の画素部の画像信号を用いて前記撮影光学系の焦点検出を行った後に、前記射出瞳の状態を第２の開口状態にして、コントラスト方式焦点検出を行うことを特徴とする請求項１乃至４のいずれか１項に記載の撮像装置。
【請求項６】
複数の画素部を備え、撮影光学系を通過した光を受ける撮像素子を有し、
前記複数の画素部は、少なくとも第１及び第２の画素部を含み、
前記第１及び第２の画素部は、前記撮影光学系の射出瞳の状態を第１の開口状態としている場合には、いずれも前記射出瞳を通過する全光束を受光し、前記撮影光学系の射出瞳の状態を、少なくとも任意の１方向における径が前記第１の開口状態よりも大きい第２の開口状態としている場合には、互いに前記射出瞳の重心が相違する一部の領域を通過した光束をそれぞれ受光する撮像装置の制御方法であって、
前記撮影光学系の射出瞳の状態を前記第２の開口状態とさせて、前記第１及び第２の画素部の画像信号を用いて前記撮影光学系の焦点検出を行うステップと、
前記撮影光学系の射出瞳の状態を前記第１の開口状態とさせて、前記第１及び第２の画素部の画像信号を用いて撮影画像を形成するステップと、
を有することを特徴とする撮像装置の制御方法。
【請求項７】
複数の画素部を備え、撮影光学系を通過した光を受ける撮像素子を有し、
前記複数の画素部は、少なくとも第１及び第２の画素部を含み、
前記第１及び第２の画素部は、前記撮影光学系の射出瞳の状態を第１の開口状態としている場合には、いずれも前記射出瞳を通過する全光束を受光し、前記撮影光学系の射出瞳の状態を、少なくとも任意の１方向における径が前記第１の開口状態よりも大きい第２の開口状態としている場合には、互いに前記射出瞳の重心が相違する一部の領域を通過した光束をそれぞれ受光する撮像装置の制御をコンピュータに行わせるプログラムであって、
コンピュータに、
前記撮影光学系の前記射出瞳の状態を前記第２の開口状態とさせて、前記第１及び第２の画素部の画像信号を用いて前記撮影光学系の焦点検出を行う手順と、
前記撮影光学系の前記射出瞳の状態を前記第１の開口状態とさせて、前記第１及び第２の画素部の画像信号を用いて撮影画像を形成する手順と、
を実行させることを特徴とするプログラム。
【手続補正２】
【補正対象書類名】明細書
【補正対象項目名】００１４
【補正方法】変更
【補正の内容】
【００１４】
本発明に係る撮像装置は、複数の画素部を備え、撮影光学系を通過した光を受ける撮像素子を有し、前記複数の画素部は、少なくとも第１及び第２の画素部を含み、前記第１及び第２の画素部は、前記撮影光学系の射出瞳の状態を第１の開口状態としている場合には、いずれも前記射出瞳を通過する全光束を受光し、前記撮影光学系の射出瞳の状態を、少なくとも任意の１方向における径が前記第１の開口状態よりも大きい第２の開口状態としている場合には、互いに前記射出瞳の重心が相違する一部の領域を通過した光束をそれぞれ受光し、前記撮影光学系の射出瞳の状態を前記第１の開口状態としている場合には、前記第１及び第２の画素部の画像信号を用いて撮影画像を形成し、前記撮影光学系の射出瞳の状態を前記第２の開口状態としている場合には、前記第１及び第２の画素部の画像信号を用いて前記撮影光学系の焦点検出を行うことを特徴とする。
【手続補正３】
【補正対象書類名】明細書
【補正対象項目名】００１５
【補正方法】変更
【補正の内容】
【００１５】
本発明に係る撮像装置の制御方法は、複数の画素部を備え、撮影光学系を通過した光を受ける撮像素子を有し、前記複数の画素部は、少なくとも第１及び第２の画素部を含み、前記第１及び第２の画素部は、前記撮影光学系の射出瞳の状態を第１の開口状態としている場合には、いずれも前記射出瞳を通過する全光束を受光し、前記撮影光学系の射出瞳の状態を、少なくとも任意の１方向における径が前記第１の開口状態よりも大きい第２の開口状態としている場合には、互いに前記射出瞳の重心が相違する一部の領域を通過した光束をそれぞれ受光する撮像装置の制御方法であって、前記撮影光学系の射出瞳の状態を前記第２の開口状態とさせて、前記第１及び第２の画素部の画像信号を用いて前記撮影光学系の焦点検出を行うステップと、前記撮影光学系の射出瞳の状態を前記第１の開口状態とさせて、前記第１及び第２の画素部の画像信号を用いて撮影画像を形成するステップと、を有することを特徴とする。
【手続補正４】
【補正対象書類名】明細書
【補正対象項目名】００１６
【補正方法】変更
【補正の内容】
【００１６】
本発明に係るプログラムは、複数の画素部を備え、撮影光学系を通過した光を受ける撮像素子を有し、前記複数の画素部は、少なくとも第１及び第２の画素部を含み、前記第１及び第２の画素部は、前記撮影光学系の射出瞳の状態を第１の開口状態としている場合には、いずれも前記射出瞳を通過する全光束を受光し、前記撮影光学系の射出瞳の状態を、少なくとも任意の１方向における径が前記第１の開口状態よりも大きい第２の開口状態としている場合には、互いに前記射出瞳の重心が相違する一部の領域を通過した光束をそれぞれ受光する撮像装置の制御をコンピュータに行わせるプログラムであって、コンピュータに、前記撮影光学系の前記射出瞳の状態を前記第２の開口状態とさせて、前記第１及び第２の画素部の画像信号を用いて前記撮影光学系の焦点検出を行う手順と、前記撮影光学系の前記射出瞳の状態を前記第１の開口状態とさせて、前記第１及び第２の画素部の画像信号を用いて撮影画像を形成する手順と、を実行させることを特徴とする。